(57)【要約】【課題】  どの箇所で折り曲げればよいかわかり易く、手早く、うまく折り畳むことが可能な救命胴衣を提供すること。【解決手段】  この発明の救命胴衣は、水難時に膨脹するようにした救命胴衣１であって、平常時に膨脹体２自体を折り畳めるようにしており、かつ、折り畳みの際に折り目となるラインＬの両端付近に、折り曲げ箇所であることを示す印３を設けたものとしている。折り曲げ箇所であることを示す印３は、膨脹体２の外側の縁部８に形成された切れ込みとすることができる。また、前記切れ込みによって、折り曲げが容易になっているものとすることができる。【選択図】  図３
2006193104.tif 000002
【特許請求の範囲】
【請求項１】
水難時に膨脹するようにした救命胴衣（１）であって、平常時に膨脹体（２）自体を折り畳めるようにしており、かつ、折り畳みの際に折り目となるライン（Ｌ）の両端付近に、折り曲げ箇所であることを示す印（３）を設けていることを特徴とする救命胴衣。
【請求項２】
折り曲げ箇所であることを示す印（３）が、膨脹体（２）の外側の縁部（８）に形成された切れ込みである請求項１記載の救命胴衣。
【請求項３】
切れ込みによって、折り曲げが容易になっている請求項２記載の救命胴衣。
【発明の詳細な説明】
【技術分野】
【０００１】
この発明は、海、川、湖での釣り、ヨット等のレジャーや、海洋工事等の作業時において着用し、水難時に使用者の身体を浮かせられるようにするための救命胴衣に関するものである。
【背景技術】
【０００２】
従来、海、川、湖での釣り、ヨット等のレジャーや、海洋工事等の作業時において着用する救命胴衣として、水難時にガスボンベから内部の膨脹体にガスが充填されることにより、膨脹体が膨脹するようにしたものがあった（例えば特許文献１）。
【０００３】
この従来の救命胴衣は、膨脹体が膨脹していない平常時には、折り畳んでコンパクトにしておくことができるため、発泡材を用いた救命胴衣に比べ、嵩張らず、作業性の優れたものであった。
【０００４】
また、この種の救命胴衣には、カバーに収容して着用できるようにしたものがあり、このようなものは、カバーが使用者の汗等で汚れた場合でも内部の救命胴衣は汚れることがなく、カバーを取り外して洗濯すれば清潔に使用し続けることができる。
【０００５】
しかし、この従来の救命胴衣には、折り畳みの際のガイドとなるようなものが存在しないため、どの箇所で折り曲げてよいかわかりにくく、手早く、うまく折り畳めないことが多かった。
【０００６】
特に、カバーに収容して着用できるようにしたものにあっては、カバーを取り外すときに折り畳み状態が崩れることがあり、カバーに収容するときに再び救命胴衣を折り畳む必要が生じるため、不便を強いられていた。
【特許文献１】特許第３５０８９３１号公報
【発明の開示】
【発明が解決しようとする課題】
【０００７】
そこで、この発明は、どの箇所で折り曲げればよいかわかり易く、手早く、うまく折り畳むことが可能な救命胴衣を提供することを課題とする。
【課題を解決するための手段】
【０００８】
この発明の救命胴衣は、水難時に膨脹するようにした救命胴衣１であって、平常時に膨脹体２自体を折り畳めるようにしており、かつ、折り畳みの際に折り目となるラインＬの両端付近に、折り曲げ箇所であることを示す印３を設けたものとしている。
【０００９】
折り曲げ箇所であることを示す印３は、膨脹体２の外側の縁部８に形成された切れ込みとすることができる。
【００１０】
また、前記切れ込みによって、折り曲げが容易になっているものとすることができる。
【発明の効果】
【００１１】
この発明の救命胴衣は、上述のような構成を有しており、折り曲げ箇所であることを示す印３により、どの箇所で折り曲げればよいかわかり易く、手早く、うまく折り畳むことが可能となっている。また、折り曲げ箇所であることを示す印３は膨脹体２の外側の縁部８に形成された切れ込みとすることができ、この切れ込みによって折り曲げが容易になったものとすることにより、折り畳みの作業の煩わしさを少なくすることができる。
【発明を実施するための最良の形態】
【００１２】
この発明の救命胴衣１は、水難時に膨脹するようにした救命胴衣１であって、平常時に膨脹体２自体を折り畳めるようにしており、かつ、折り畳みの際に折り目となるラインＬの両端付近に、折り曲げ箇所であることを示す印３を設けたものである。
【００１３】
以下、この発明の好適な実施形態を、図面を参照して説明する。
【００１４】
図１はこの発明の実施形態の救命胴衣１のカバー４を付けた状態の正面図、図２は同背面図、図３は展開状態の救命胴衣１の正面図、図４は同背面図、図５は折り畳んだ状態の救命胴衣１の正面図、図６はカバー４の開いた状態の正面図である。
【００１５】
この救命胴衣１は、図１、図２に示したようにカバー４に収容した状態で、使用者の首から掛けて着用されるようにしている。救命胴衣１は、図３、図４に示したように、左右の前身ごろ５，６が中央上部７を介して連結された略逆Ｕ字状で、平常時には、図５に示したように折り畳まれた状態で使用される。
【００１６】
救命胴衣１は、ナイロン等の合成繊維や天然繊維にウレタン等の合成樹脂をコーティング又はラミネートして形成された表材と裏材が、それらの周縁部の内側を巡るように接着されている。接着部分は、左右の前身ごろ５，６と中央上部７にわたっており、その内側が気密状態が保たれるようにした膨脹体２で、外側が縁部８となっている。
【００１７】
図６に示したように、カバー４は救命胴衣１と同様な略逆Ｕ字状で、適宜の合成繊維や天然繊維の生地、あるいは合成樹脂製のシートの表側材９と裏側材１０からなる。表側材９と裏側材１０は互いの内側縁が縫着され、外側縁には対の面ファスナー１１，１２が設けられており、面ファスナー１１，１２の着脱によりカバー４の外側縁が開閉可能となっている。
【００１８】
カバー４には、左右の下端部と、中央上部の下端部に、それぞれ帯状の一対の面ファスナー１３，１４が設けられており、その一方の面ファスナー１３を、救命胴衣１の前記面ファスナー１３を設けた位置に対応して設けた切れ目１５に通し、他方の面ファスナーに１４係合させることにより、救命胴衣１がカバー４から離脱することを防止するようにしている。
【００１９】
カバー４は、使用者の胸部に接触する部分から上方の裏面全体を、通気性材１６で構成している。通気性材１６は、例えばダブルラッセル編みされたもののような立体構造の、クッション性を有する厚みのあるメッシュ材とすることが望ましい。
【００２０】
また、カバー４の裏側の使用者の肩口付近に接触する箇所には滑り止め材１７を設け、救命胴衣１が着用時に使用者の身体からずれないようにしている。この滑り止め材１７は通気性を有しており、前記通気性材１６に重ねて設けても、前記通気性材１６の通気性を大きく妨げることがない。滑り止め材１７は、ナイロンやポリエステル等のメッシュ状の生地をシリコン処理やポリウレタン処理したものとすることができる。滑り止め材１７を設ける箇所は適宜でよい。
【００２１】
この救命胴衣１は、ガスボンベ１８から噴出されたガスが膨脹体２に充填され、膨脹体２が膨脹するようになっている。ガスボンベ１８は炭酸ガス等を充填したもので、救命胴衣１の中央上部７の裏側に設けられたガス噴出装置１９に取付けられており、覆い生地２０が被さるようにしている。
【００２２】
ガス噴出装置１９は、ガス噴出口（図示せず）と水浸入口２１を有しており、水難時に水浸入口２１に水が入ると、内部の水感知機構が反応し、自動的にガスボンベ１８の封板が開いてガス噴出口から膨脹体２にガスが吹き込まれるようになっている。また、ガスボンベ１８の封板は、ガス噴出装置１９の作動レバーに接続された紐２２を引っ張ることにより、水感知機構が正常に反応しなかった場合等、必要時に使用者が手動で開くこともできる。
【００２３】
救命胴衣１は、常にカバー４を付けた状態であっても水難時において膨脹体２が膨脹するとカバー４の面ファスナー１１，１２の係合がはずれるので、カバー４によって膨脹体２の膨脹に支障をきたすことはない。なお、救命胴衣１はカバー４を付けていない状態で着用するようにしてもよい。
【００２４】
救命胴衣１には、左側の前身ごろ５の内側縁部にホイッスル２３が備えられ、右側の前身ごろ６に膨脹体２の膨脹が足りない場合に膨脹体２に空気を吹き込むためのパイプ２４が設けられている。さらに、左右の前身ごろ５，６には、夜間等に目立たせるための光反射材２５が設けられている。
【００２５】
救命胴衣１は、中央上端に取付けられ使用者の背中の上部に位置する略Ｙ字状の上部ベルト２６と、左右の前身ごろ５，６の下端に連結紐２７を介して取付けられ、上部ベルト２６の下端のリング状部２８に通された環状の下部ベルト２９を有している。上部ベルト２６と下部ベルト２９はともに救命胴衣１の裏側に配されるようにしている。
【００２６】
下部ベルト２９は、左側の紐２９ａ、右側の紐２９ｂ、及び連結具３０により分離可能な中央の紐２９ｃが、２つの長さ調節具３１を介して連結されて構成されている。連結具３０は左右の前身ごろ５，６の下端間に設けられており、これによって下部ベルト２９の連結、切り離しが可能となっている。連結具３０は、係止受け具３０ａと係止突具３０ｂからなり、係止突具３０ｂの弾性係止部３０ｃを係止受け具３０ａ内に押し込むと、弾性係止部３０ｃが弾性復帰して連結状態になるようにしている。連結状態は、使用者が弾性係止部３０ｃを外側から指で押すことにより解除することができる。
【００２７】
長さ調節具３１は、左右の前身ごろ５，６の下端付近に位置するように設けられており、使用者の身体サイズに合わせて下部ベルト２９の長さを調節することができる。長さ調節具３１は内側に２本の桟を設けた枠形状で、桟に下部ベルト２９を構成する紐２９ａ，２９ｂ，２９ｃを掛けるようにしており、紐２９ａ，２９ｂ，２９ｃを引っ張っても下部ベルト２９が緩まないようにしている。長さ調節具３１に通した下部ベルト２９の紐２９ａ，２９ｂの端部は、折り返され輪状の止め具３２によって保持されるようにしている。
【００２８】
使用者は、連結具３０の連結状態を解除した状態で、首から救命胴衣１を掛け、左右の前身ごろ５，６が身体の前側に、上部ベルト２６と下部ベルト２９が背後に位置するようにし、そして連結具３０を連結状態にして装着する。また、必要に応じて長さ調節具３１により下部ベルト２９の長さを調節する。
【００２９】
救命胴衣１は、折り畳む際、左右の各前身ごろ５，６が、図３において点線で示した左右それぞれ縦方向の２つのラインＬで折り曲げられ、また、中央上部７が横方向のラインで折り曲げられる。
【００３０】
左右の各前身ごろ５，６の折り畳みの際に折り目となるラインＬの両端付近には、折り曲げ箇所であることを示す印３が設けられている。この実施形態では、折り曲げ箇所であることを示す印３は、膨脹体２の外側の縁部８に形成された切れ込みであり、この切れ込みによって、折り曲げが容易になっている。切れ込みは、図示したようなテーパー状、線状、その他適宜形状とすることができる。
【００３１】
なお、折り曲げ箇所であることを示す印３は、図７に示したような穴や、印刷されたもの、縫い目等であってもよい。また、中央上部７の折り畳みの際に折り目となるラインの両端付近にも折り曲げ箇所であることを示す印３を設けてもよい。
【００３２】
前記ラインＬは、救命胴衣１に形成された折り目として使用者が目視できるようになったものでもよいが、目視できなくてもよい。前記ラインＬは膨脹体２上を通るようにしており、このラインＬに沿って膨脹体２自体をきれいに折り曲げることが可能で、折り畳んだ救命胴衣１は美しく整った状態となるため、カバー４の着脱がスムーズに行えるようになっている。
【００３３】
救命胴衣１の折り畳み方は図示したものに限定されず、前記ラインＬや折り曲げ箇所であることを示す印３の数、位置は、折り畳み方に応じて適宜変更して実施することができる。また、救命胴衣１には、折り畳んだときに互いに対向する面に面ファスナー等の係合手段を設け、折り畳んだ状態が保持されるようにしてもよい。
【００３４】
この実施形態の救命胴衣１は、カバー４付きであるため、カバー４を取り外すときに救命胴衣１の折り畳み状態が崩れることがあり、その場合にはカバー４に収容するときに再び救命胴衣１を折り畳む必要が生じるが、上述のように折り曲げ箇所であることを示す印３が設けられているため容易に折り畳むことが可能で、カバー４の洗濯の度に煩わしさを感じることが少ない。
【００３５】
また、この発明の救命胴衣１は、略逆Ｕ字状に限定されず、帯状にして腰に巻くようにした構成とすることもできる。さらに、この発明の救命胴衣１は、上記実施形態に限定されず、形状、素材等、適宜構成を変更して実施することが可能である。
【図面の簡単な説明】
【００３６】
【図１】この発明の実施形態の救命胴衣のカバーを付けた状態の正面図である。
【図２】この発明の実施形態の救命胴衣のカバーを付けた状態の背面図である。
【図３】この発明の実施形態の救命胴衣の展開状態の正面図である。
【図４】この発明の実施形態の救命胴衣の展開状態の背面図である。
【図５】この発明の実施形態の救命胴衣の折り畳んだ状態の正面図である。
【図６】この発明の実施形態の救命胴衣のカバーの、開いた状態の正面図である。
【図７】この発明の他の実施形態の救命胴衣の展開状態の正面図である。
【符号の説明】
【００３７】
１  救命胴衣
２  膨脹体
３  印
８  縁部
Ｌ  ライン
【図１】
2006193104.tif 000003
【図２】
2006193104.tif 000004
【図３】
2006193104.tif 000005
【図４】
2006193104.tif 000006
【図５】
2006193104.tif 000007
【図６】
2006193104.tif 000008
【図７】
2006193104.tif 000009